(57)【要約】【課題】  ２つの包装容器が組み合わされた組合せ容器において、２つの包装容器が勝手に分離されないようにして、２つの包装容器を簡単に連結できるようにした。【解決手段】  ２つの包装容器１０，２０が組み合わされた組合せ容器において、２つの包装容器における少なくとも２つの平面部１０ａ，２０ａ、１０ｂ，２０ｂ相互が連続した同一平面になるように接合されると共に、このように接合された平面部相互を連結させるようにラベル３１，３２を２つの包装容器に架け渡して貼着させた。【選択図】  図６
0003126788.tif 000002
【実用新案登録請求の範囲】
【請求項１】
２つの包装容器が組み合わされた組合せ容器において、上記の２つの包装容器における少なくとも２つの平面部相互が連続した同一平面になるように配列されると共に、このように連続した同一平面になった平面部相互を連結させるようにラベルを２つの包装容器に架け渡して貼着させることを特徴とする組合せ容器。
【請求項２】
請求項１に記載した組合せ容器において、上記の２つの包装容器が、詰め替え消耗品を収納させた商品容器を収容させる第１包装容器と、上記の商品容器に収納させる詰め替え消耗品を収容させる第２包装容器とからなることを特徴とする組合せ容器。
【請求項３】
請求項１又は請求項２に記載した組合せ容器において、上記の２つの包装容器の少なくとも一方が四角柱状であることを特徴とする組合せ容器。
【請求項４】
請求項１〜請求項３の何れか１項に記載した組合せ容器において、上記の２つの包装容器が直方体状であることを特徴とする組合せ容器。
【考案の詳細な説明】
【技術分野】
【０００１】
この考案は、２つの包装容器が組み合わされた組合せ容器に係り、特に、この２つの包装容器が勝手に分離されないようにして簡単に連結できるようにした点に特徴を有するものである。
【背景技術】
【０００２】
従来から、芳香剤等の詰め替え消耗品を収納させた商品容器と、この商品容器に収納させる芳香剤等の詰め替え消耗品とを、それぞれ別の包装容器に収容させて別々に販売する他、例えば、セール期間等の特定の期間に、上記の詰め替え消耗品を収納させた商品容器と詰め替え消耗品とをセットにして安価に販売することも行われている。
【０００３】
ここで、上記のように詰め替え消耗品を収納させた商品容器と詰め替え消耗品とをセットにして販売するにあたっては、例えば、これらを別々に収容させる個別の包装容器とは別の包装容器に、上記の商品容器と詰め替え消耗品とをまとめて収容させるようにしたり、またこれらを個別に収容させた包装容器をまとめて別の１つの包装容器に収容させるようにすることが行われている。
【０００４】
しかし、詰め替え消耗品を収納させた商品容器と詰め替え消耗品とを別々に収容させる個別の包装容器以外に、別の包装容器を製造してこれらを収容させることは、非常に非効率で、コストが高くつくなどの問題があった。
【０００５】
また、従来においては、２つの包装容器を破断線によって分離可能に設けるようにした複合包装体も提案されている（例えば、特許文献１参照。）。
【０００６】
しかし、このような複合包装体においても、その製造が困難であり、コストが高くつくという問題があり、特に、この複合包装体においては、形状や大きさなどが異なった２つの包装容器を分離可能に設けることは非常に困難になるという問題があった。
【特許文献１】特開２００４−１３６９０５号公報
【考案の開示】
【考案が解決しようとする課題】
【０００７】
この考案は、上記のように芳香剤等の詰め替え消耗品を収納させた商品容器と芳香剤等の詰め替え消耗品とを、それぞれ個別の包装容器に収容させて別々に販売する他、上記の商品容器と詰め替え消耗品とをセットにして販売する場合などにおいて、これらを別々に収容させる個別の包装容器以外の別の包装容器を用いたり、また２つの包装容器を破断線によって分離可能に設けるようにしなくても、上記の商品容器と詰め替え消耗品とをそれぞれ個別の包装容器に収容させた状態で、これらが簡単に分離されないようにセットし、これらをセットの状態で簡単に販売できるようにすることを課題とするものである。
【課題を解決するための手段】
【０００８】
この考案においては、上記のような課題を解決するため、２つの包装容器が組み合わされた組合せ容器において、上記の２つの包装容器における少なくとも２つの平面部相互が連続した同一平面になるように配列されると共に、このように配列された平面部相互を連結させるようにラベルを２つの包装容器に架け渡して貼着させるようにした。
【０００９】
ここで、上記の組合せ容器における２つの包装容器としては、例えば、詰め替え消耗品を収納させた商品容器を収容させる第１包装容器と、上記の商品容器に収納させる詰め替え消耗品を収容させる第２包装容器とを用いることができる。
【００１０】
また、上記の組合せ容器における２つの包装容器の形状は、特に限定されないが、２つの包装容器における少なくとも２つの平面部相互が連続した同一平面になるように配列させるためには、２つの包装容器の少なくとも一方を四角柱状に形成することが好ましく、また２つの包装容器をそれぞれ直方体状に形成することが好ましい。
【考案の効果】
【００１１】
この考案における組合せ容器においては、上記のように２つの包装容器における少なくとも２つの平面部相互が連続した同一平面になるように配列させ、ラベルをこのように配列された平面部相互を連結させるように２つの包装容器に架け渡して貼着させるようにしたため、ラベルを２つの包装容器に架け渡すようにして貼付させることが簡単に行えると共に、このように同一平面になるように配列された少なくとも２つの部分に貼着させたラベルによって、この２つの包装容器が簡単に分離されないように強固に連結されるようになる。
【００１２】
そして、上記の組合せ容器における２つの包装容器として、詰め替え消耗品を収納させた商品容器を収容させる第１包装容器と、上記の商品容器に収納させる詰め替え消耗品を収容させる第２包装容器とを用いると、詰め替え消耗品を収納させた商品容器と詰め替え消耗品とを、それぞれ個別の包装容器に収容させて別々に販売する他、これらをセットにして販売する場合などにおいて、これらの包装容器が簡単に分離されないようにして、これらをセットの状態で簡単に販売できるようになり、別の包装容器を製造して使用する場合や、２つの包装容器を破断線によって分離可能に設ける場合に比べて、コストが低減される。
【００１３】
また、上記のように組合せ容器における２つの包装容器の少なくとも一方を四角柱状に形成したり、２つの包装容器をそれぞれ直方体状に形成すると、２つの包装容器における少なくとも２つの平面部相互が連続した同一平面になるように配列させることが容易になる。
【考案を実施するための最良の形態】
【００１４】
以下、この考案の実施形態に係る組合せ容器を添付図面に基づいて具体的に説明する。なお、この考案に係る組合せ容器は、特に下記の実施形態に示したものに限定されるものではなく、その要旨を変更しない範囲において適宜変更して実施できるものである。
【００１５】
この実施形態における組合せ容器においては、図１に示す詰め替え消耗品２を収納させた商品容器１を、図２に示す直方体状の第１包装容器１０に収容させる一方、図３に示す上記の商品容器１に収納させる詰め替え消耗品２を、上記の第１包装容器１０より小型になった図４に示す直方体状の第２包装容器２０に収容させるようにしている。なお、上記の商品容器１に収納させる詰め替え消耗品２としては、例えば、芳香剤、消臭剤、防虫剤、洗浄剤などの様々な詰め替え可能な消耗品を用いることができる。
【００１６】
そして、この実施形態における組合せ容器においては、上記の商品容器１を収容させた第１収容容器１０と詰め替え消耗品２を収容させた第２収容容器２０とを組み合わせるにあたり、図５に示すように、それぞれの正面側の平面部１０ａ，２０ａ相互と底面側の平面部１０ｂ，２０ｂ相互とが連続した同一平面になるように、第１収容容器１０の右側面側と第２収容容器２０の左側面側とが接触するように配列させる。
【００１７】
次いで、図６（Ａ）に示すように、上記のように連続した同一平面になるように配列された正面側の平面部１０ａ，２０ａ相互を連結させるように、第１ラベル３１を第１包装容器と第２収容容器２０とに架け渡すようにして貼着させると共に、図６（Ｂ）に示すように、上記のように連続した同一平面になるように配列された底面側の平面部１０ｂ，２０ｂ相互を連結させるように、第２ラベル３２を第１包装容器と第２収容容器２０とに架け渡すようにして貼着させる。
【００１８】
ここで、正面側の平面部１０ａ，２０ａ相互を連結させる第１ラベル３１の形状及び底面側の平面部１０ｂ，２０ｂ相互を連結させる第２ラベル３２の形状は特に限定されず、どのような形状であってもよく、例えば、図６（Ａ）に示すように、第１ラベル３１をハート形状にし、図６（Ｂ）に示すように、第２ラベル３２を長方形状にすることができる。
【００１９】
また、上記の第１収容容器１０に収容させた商品容器１と、第２収容容器２０に収容させた詰め替え消耗品２とをそれぞれ個別に販売するために、図７に示すように、第１収容容器１０と第２収容容器２０とに、それぞれ価格やＰＯＳ情報などを示したバーコード等の表示部１１，２１が設けられている場合には、予めこれらの表示部１１，２１を隠すようにそれぞれ隠蔽用ラベル１２，２２を貼付させる一方、例えば、図８に示すように、上記の長方形状になった第２ラベル３２に、第１収容容器１０に収容させた商品容器１と第２収容容器２０に収容させた詰め替え消耗品２とをセットで販売する際の価格やＰＯＳ情報などを示したバーコード３２ａ等を設けるようにすることができる。
【００２０】
なお、この実施形態における組合せ容器においては、直方体状の第１包装容器１０と、この第１包装容器１０より小型の直方体状の第２包装容器２０とを組み合わせるようにしたが、第１包装容器１０及び第２包装容器２０の形状はこのようなものに限定されず、少なくとも２つの平面部相互が連続した同一平面になるように配列されるものであればよい。
【００２１】
例えば、図９に示すように、直方体状の第１包装容器１０と三角柱状になった第２包装容器２０とを、正面側の平面部１０ａ，２０ａ相互と底面側の平面部１０ｂ，２０ｂ相互とが連続した同一平面になるように配列させたり、図１０に示すように、台形柱状になった第１包装容器１０と、この第１包装容器１０より小型の台形柱状になった第２包装容器２０とを、正面側の平面部１０ａ，２０ａ相互と底面側の平面部１０ｂ，２０ｂ相互とが連続した同一平面になるように配列させたり、図１１に示すように、同じ高さになった三角柱状の第１包装容器１０と第２包装容器２０とを、上面側の平面部１０ｃ，２０ｃ相互と底面側の平面部１０ｂ，２０ｂ相互とが連続した同一平面になるように配列させたりすることも可能であり、さらに多くの組合せも可能である。
【００２２】
また、この実施形態における組合せ容器においては、上記のように詰め替え消耗品２を収納させた商品容器１を第１包装容器１０に収容させる一方、上記の商品容器１に収納させる詰め替え消耗品２を第２包装容器２０に収容させるようにしたが、第１包装容器１０及び第２包装容器２０に収容させる品物はこのようなものに限定されず、例えば、商品を第１包装容器に収容させ、おまけ等の付属品を第２包装容器に収容させることも可能である。
【図面の簡単な説明】
【００２３】
【図１】本考案の一実施形態における組合せ容器において、第１包装容器に収容させる商品容器の概略斜視図である。
【図２】同実施形態における組合せ容器において、商品容器を収容させる第１包装容器の概略斜視図である。
【図３】同実施形態における組合せ容器において、第２包装容器に収容させる詰め替え消耗品の概略斜視図である。
【図４】同実施形態における組合せ容器において、詰め替え消耗品を収容させる第２包装容器の概略斜視図である。
【図５】同実施形態における組合せ容器において、第１包装容器と第２包装容器とを正面側の平面部相互と底面側の平面部相互とが連続した同一平面になるように配列させた状態を示した概略斜視図である。
【図６】同実施形態における組合せ容器において、（Ａ）は同一平面になるように配列された第１包装容器と第２収容容器の正面側の平面部相互を連結させるように、第１ラベルを第１包装容器と第２収容容器とに架け渡すように貼着させた状態を示した概略正面図、（Ｂ）は同一平面になるように配列された第１包装容器と第２収容容器の底面側の平面部相互を連結させるように、第２ラベルを第１包装容器と第２収容容器とに架け渡すように貼着させた状態を示した概略底面図である。
【図７】同実施形態における組合せ容器において、第１収容容器と第２収容容器とに設けられた各表示部を隠すようにそれぞれ隠蔽用ラベルを貼着させた状態を示した概略説明図である。
【図８】同実施形態における組合せ容器において、第２ラベルに価格やＰＯＳ情報などを示したバーコード等を設けた状態を示した概略平面図である。
【図９】同実施形態における組合せ容器において、少なくとも２つの平面部相互が連続した同一平面になるように配列させた第１収容容器と第２収容容器の第１の変更例を示した概略斜視図である。
【図１０】同実施形態における組合せ容器において、少なくとも２つの平面部相互が連続した同一平面になるように配列させた第１収容容器と第２収容容器の第２の変更例を示した概略斜視図である。
【図１１】同実施形態における組合せ容器において、少なくとも２つの平面部相互が連続した同一平面になるように配列させた第１収容容器と第２収容容器の第３の変更例を示した概略斜視図である。
【符号の説明】
【００２４】
１  商品容器
２  詰め替え消耗品
１０  第１包装容器
１０ａ  正面側の平面部
１０ｂ  底面側の平面部
１０ｃ  上面側の平面部
１１  表示部
１２  隠蔽用ラベル
２０  第２包装容器
２０ａ  正面側の平面部
２０ｂ  底面側の平面部
２０ｃ  上面側の平面部
２１  表示部
２２  隠蔽用ラベル
３１  第１ラベル
３２  第２ラベル
３２ａ  バーコード
【図１】
0003126788.tif 000003
【図２】
0003126788.tif 000004
【図３】
0003126788.tif 000005
【図４】
0003126788.tif 000006
【図５】
0003126788.tif 000007
【図６】
0003126788.tif 000008
【図７】
0003126788.tif 000009
【図８】
0003126788.tif 000010
【図９】
0003126788.tif 000011
【図１０】
0003126788.tif 000012
【図１１】
0003126788.tif 000013